(57)【特許請求の範囲】
【請求項１】
冷却塔からの冷凍機への冷却水の温度を冷却塔出口温度とし、この冷却塔出口温度を冷却塔出口温度設定値とするように前記冷却塔のファンの運転を制御する冷却塔ファン制御装置において、
前記冷却塔出口温度設定値に対して定められる上限値と下限値とを記憶する上下限値記憶手段と、
前記冷却塔出口温度設定値の候補値を前記上限値と前記下限値との間で変えながら、その候補値と前記冷凍機の現在の負荷熱量とに基づいて、前記冷却塔出口温度設定値の候補値毎の前記冷凍機の使用エネルギー量を演算する冷凍機使用エネルギー量演算手段と、
現在の外気湿球温度を取得する外気湿球温度取得手段と、
現在の前記冷却塔のファン風量を取得するファン風量取得手段と、
現在の前記冷却塔出口温度を取得する冷却塔出口温度取得手段と、
前記冷却塔出口温度と前記外気湿球温度との差をアプローチとし、前記冷却塔のアプローチとファン風量との関係として定められた反比例の関係を利用して、前記冷却出口温度設定値の候補値を前記上限値と前記下限値との間で変えながら、その候補値と前記取得された現在の外気湿球温度と現在の冷却塔のファン風量と現在の冷却塔出口温度とに基づいて、前記冷却塔出口温度設定値の候補値毎の前記冷却塔のファン風量を算出するファン風量算出手段と、
前記冷却塔出口温度設定値の候補値毎に算出された前記冷却塔のファン風量から前記冷却塔出口温度設定値の候補値毎の前記冷却塔のファンの使用エネルギー量を演算する冷却塔ファン使用エネルギー量演算手段と、
前記冷却塔出口温度設定値の候補値毎に演算された前記冷凍機の使用エネルギーと前記冷却塔のファンの使用エネルギー量との合計値の各々を合計使用エネルギー量として記憶する合計使用エネルギー量記憶手段と、
前記冷却塔出口温度設定値の候補値毎に記憶された前記合計使用エネルギー量の中からその合計使用エネルギー量が最小となる前記冷却塔出口温度設定値の候補値を最適値として決定する冷却塔出口温度最適値決定手段とを備え、
前記アプローチとファン風量との反比例の関係は、前記冷却塔出口温度を一定とした条件で定めた反比例の関係よりも前記アプローチを小さくする方向にシフトさせた関係とされている
ことを特徴とする冷却塔ファン制御装置。
【請求項２】
冷却塔からの冷凍機への冷却水の温度を冷却塔出口温度とし、この冷却塔出口温度を冷却塔出口温度設定値とするように前記冷却塔のファンの運転を制御する冷却塔ファン制御方法において、
前記冷却塔出口温度設定値に対して定められる上限値と下限値とを記憶する上下限値記憶ステップと、
前記冷却塔出口温度設定値の候補値を前記上限値と前記下限値との間で変えながら、その候補値と前記冷凍機の現在の負荷熱量とに基づいて、前記冷却塔出口温度設定値の候補値毎の前記冷凍機の使用エネルギー量を演算する冷凍機使用エネルギー量演算ステップと、
現在の外気湿球温度を取得する外気湿球温度取得ステップと、
現在の前記冷却塔のファン風量を取得するファン風量取得ステップと、
現在の前記冷却塔出口温度を取得する冷却塔出口温度取得ステップと、
前記冷却塔出口温度と前記外気湿球温度との差をアプローチとし、前記冷却塔のアプローチとファン風量との関係として定められた反比例の関係を利用して、前記冷却出口温度設定値の候補値を前記上限値と前記下限値との間で変えながら、その候補値と前記取得された現在の外気湿球温度と現在の冷却塔のファン風量と現在の冷却塔出口温度とに基づいて、前記冷却塔出口温度設定値の候補値毎の前記冷却塔のファン風量を算出するファン風量算出ステップと、
前記冷却塔出口温度設定値の候補値毎に算出された前記冷却塔のファン風量から前記冷却塔出口温度設定値の候補値毎の前記冷却塔のファンの使用エネルギー量を演算する冷却塔ファン使用エネルギー量演算ステップと、
前記冷却塔出口温度設定値の候補値毎に演算された前記冷凍機の使用エネルギーと前記冷却塔のファンの使用エネルギー量との合計値の各々を合計使用エネルギー量として記憶する合計使用エネルギー量記憶ステップと、
前記冷却塔出口温度設定値の候補値毎に記憶された前記合計使用エネルギー量の中からその合計使用エネルギー量が最小となる前記冷却塔出口温度設定値の候補値を最適値として決定する冷却塔出口温度最適値決定ステップとを備え、
前記アプローチとファン風量との反比例の関係は、前記冷却塔出口温度を一定とした条件で定めた反比例の関係よりも前記アプローチを小さくする方向にシフトさせた関係とされている
ことを特徴とする冷却塔ファン制御方法。
【発明の詳細な説明】
【技術分野】
【０００１】
この発明は、冷凍機に冷却水を供給する冷却塔のファンの運転を制御する冷却塔ファン制御装置および方法に関するものである。
【背景技術】
【０００２】
従来より、ビルなどの施設における空調制御では、冷房を行うための冷水を得る装置として吸収式冷凍機を用いている。吸収式冷凍機は吸収液に冷媒蒸気を吸収させて冷水を得る冷凍機として周知である。この吸収式冷凍機に対しては、冷却塔から冷却水を供給し、吸収式冷凍機における廃熱を冷却水にのせて冷却塔に戻し、外気に放出するようにしている。
【０００３】
図１０に吸収式冷凍機に冷却塔から冷却水を供給するようにした空調制御システムの要部を示す。同図において、１は吸収式冷凍機、２は冷却塔であり、冷却塔２からの冷却水は冷却水往管３を介して吸収式冷凍機１へ供給され、冷却水戻管４を介して吸収式冷凍機１から冷却塔２へ戻される。冷却水往管３には冷却塔２からの吸収式冷凍機１への冷却水を循環させる冷却水ポンプ５が設けられている。また、吸収式冷凍機１からの冷水は、往水管路６を通してファンコイルユニットなどの負荷機器（図示せず）に供給され、負荷機器において熱交換された冷水が還水管路７を通して吸収式冷凍機１へ戻される。
【０００４】
なお、吸収式冷凍機１では、冷媒として水が用いられ、吸収液として臭化リチウムなどが用いられる。また、その基本サイクルとして、冷媒を低温低圧の蒸発器で蒸発させて冷水を作り、蒸発冷媒は吸収器で吸収液に吸収させ、冷媒を吸収した吸収液を再生器へ送り、ここで吸収液に熱を加えて冷媒を蒸発分離させ、この冷媒を蒸発分離させた吸収液を再び吸収器に戻す一方、吸収液から蒸発分離させた冷媒を凝縮器で冷却して液化し、再び蒸発器で使用するという動作を繰り返す。
【０００５】
この吸収式冷凍機１の運転中は、冷却水ポンプ５をオンとして冷却塔２からの冷却水を循環させるとともに、冷却塔２のファン（冷却塔ファン）２−１を回転させて冷却水にのせて戻されてきた廃熱を外気へ放出させる。この空調制御システムにおいて、冷却塔ファン２−１の運転は、冷却塔ファン制御装置８によって制御される。なお、冷却塔ファン２−１にはインバータが付設されており、このインバータへ指令（ファンインバータ出力ＩＮＶ）を送ることによって冷却塔ファン２−１の回転数を調整する。
【０００６】
〔吸収式冷凍機の運転中の冷却塔ファンの制御〕
吸収式冷凍機１は、運転の開始が指示されると、冷却水ポンプ５をオンとするとともに、冷却塔ファン制御装置８へ冷却塔ファンの運転開始指令を送る。冷却塔ファン制御装置８は、吸収式冷凍機１からの運転開始指令を受けて、冷却塔ファン２−１の運転を開始する。
【０００７】
この場合、冷却塔ファン制御装置８は、冷却塔２から吸収式冷凍機１へ送られる冷却水の温度を温度センサ（冷却塔出口温度センサ）９を介して冷却塔出口温度ＴＣｐｖとして取り込み、この冷却塔出口温度ＴＣｐｖを冷却塔出口温度設定値ＴＣｓｐとするように（ＴＣｐｖ＝ＴＣｓｐ）、冷却塔ファン２−１へファンインバータ出力ＩＮＶを送って、冷却塔ファン２−１の回転数を制御する。
【０００８】
なお、この例では、冷却塔２を１つしか示していないが、冷却塔２が複数台設けられる場合もある。このような場合、冷却塔ファン２−１の回転数だけではなく、冷却塔ファン２−１の運転台数を制御したりもする。また、冷却塔ファン２−１に回転数の制御を行うためのインバータが設けられていないような場合、冷却塔ファン２−１のオン／オフを制御したり、冷却塔ファン２−１の運転台数を制御することによって、冷却塔出口温度ＴＣｐｖを冷却塔出口温度設定値ＴＣｓｐに一致させるようにする。
【０００９】
また、冷却塔出口温度設定値ＴＣｓｐは、吸収式冷凍機１の運転効率の向上を目的として、例えば２０〜２２℃に設定される。この冷却塔出口温度設定値ＴＣｓｐは、固定値とする場合がほとんどであるが、上限値と下限値とを定めてその範囲内で調整可能とされる場合もある。例えば、特許文献１では、吸収式冷凍機の運転中、外気湿球温度や湿度などの情報に基づいて冷却塔出口温度設定値ＴＣｓｐを自動的に変更するようにしている。
【００１０】
吸収式冷凍機の運転中に冷却塔出口温度設定値ＴＣｓｐを自動的に変更するようにした場合、冷却塔出口温度設定値ＴＣｓｐが低めに設定されたときには、冷却塔ファンの電力消費量が増加してしまい、逆に冷却塔出口温度設定値ＴＣｓｐが高めに設定されたときには、冷凍機の運転効率が悪化してしまう、という問題が生じる。
【００１１】
そこで、本出願人は、最近、冷却塔ファンの電力消費量と冷凍機の運転効率の向上との両面で冷却塔出口温度設定値を最適化し、冷凍機の運転効率の向上と省エネルギーとを両立させることが可能な冷却塔ファン制御装置を提案した（例えば、特許文献２参照）。
【００１２】
この特許文献２に示された冷却塔ファン制御装置では、冷却塔出口温度設定値の候補値を上限値と下限値との間で変えながら、この冷却塔出口温度設定値の候補値と冷凍機の現在の負荷熱量とに基づいて、冷却塔出口温度設定値の候補値毎の冷凍機の使用エネルギー量を演算する。また、冷却塔出口温度設定値の候補値を上限値と下限値との間で変えながら、この冷却塔出口温度設定値の候補値と現在の外気温度や湿度などの外気条件と現在の冷却塔からの冷却水の出口温度および入口温度とに基づいて、冷却塔出口温度設定値の候補値毎の冷却塔のファンの使用エネルギー量を演算する。
【００１３】
そして、この演算した冷凍機の使用エネルギー量と冷却塔のファンの使用エネルギー量とを冷却塔出口温度設定値の候補値毎に合計し、この冷却塔出口温度設定値の候補値毎の冷凍機の使用エネルギー量と冷却塔のファンの使用エネルギー量との合計値の各々を合計使用エネルギー量として記憶する。そして、冷却塔出口温度設定値の候補値毎に記憶された合計使用エネルギー量の中からその合計使用エネルギー量が最小となる冷却塔出口温度設定値の候補値を冷却塔出口温度設定値の最適値として決定する。
【００１４】
なお、冷却塔のファンの使用エネルギー量の演算は、具体的には次のようにして行っている。外気温度と外気湿度とから現在の外気のエンタルピを求め、冷却塔出口温度と冷却塔入口温度とから現在の冷却水温度差を求め、この求めた現在の外気のエンタルピと現在の冷却水温度差と冷却塔出口温度設定値の候補値とから、予め用意されているテーブル（冷却塔特性テーブル）を用いて冷却塔のファンの使用エネルギー量を求める。この冷却塔特性テーブルには、冷却塔のファンについて、冷却塔出口温度設定値と外気エンタルピと冷却水温度差と使用エネルギー量（電力値）との関係が予め定められている。
【先行技術文献】
【特許文献】
【００１５】
【特許文献１】特開２０００−３３７７２９号公報
【特許文献２】特開２０１０−１９６９８８号公報
【発明の概要】
【発明が解決しようとする課題】
【００１６】
しかしながら、上述した特許文献２に示された冷却塔ファン制御装置では、冷却塔出口温度設定値と外気エンタルピと冷却水温度差と使用エネルギー量（電力値）との関係を定めた冷却塔特性テーブルを用いているが、この冷却塔特性テーブルには冷却塔の性能変化が反映されていないため、冷却塔出口温度設定値の候補値毎に求められる冷却塔のファンの使用エネルギー量に誤差が生じてしまい、最適な冷却塔出口温度設定値が決定されないことがあった。
【００１７】
本発明は、このような課題を解決するためになされたもので、その目的とするところは、冷却塔の性能変化に関わらず、常に最適な冷却塔出口温度設定値を決定することが可能な冷却塔ファン制御装置および方法を提供することにある。
【課題を解決するための手段】
【００１８】
このような目的を達成するために、本発明は、冷却塔からの冷凍機への冷却水の温度を冷却塔出口温度とし、この冷却塔出口温度を冷却塔出口温度設定値とするように冷却塔のファンの運転を制御する冷却塔ファン制御装置において、冷却塔出口温度設定値に対して定められる上限値と下限値とを記憶する上下限値記憶手段と、冷却塔出口温度設定値の候補値を上限値と下限値との間で変えながら、その候補値と冷凍機の現在の負荷熱量とに基づいて、冷却塔出口温度設定値の候補値毎の冷凍機の使用エネルギー量を演算する冷凍機使用エネルギー量演算手段と、現在の外気湿球温度を取得する外気湿球温度取得手段と、現在の冷却塔のファン風量を取得するファン風量取得手段と、現在の冷却塔出口温度を取得する冷却塔出口温度取得手段と、冷却塔出口温度と外気湿球温度との差をアプローチとし、冷却塔のアプローチとファン風量との関係として定められた反比例の関係を利用して、冷却出口温度設定値の候補値を上限値と下限値との間で変えながら、その候補値と取得された現在の外気湿球温度と現在の冷却塔のファン風量と現在の冷却塔出口温度とに基づいて、冷却塔出口温度設定値の候補値毎の冷却塔のファン風量を算出するファン風量算出手段と、冷却塔出口温度設定値の候補値毎に算出された冷却塔のファン風量から冷却塔出口温度設定値の候補値毎の冷却塔のファンの使用エネルギー量を演算する冷却塔ファン使用エネルギー量演算手段と、冷却塔出口温度設定値の候補値毎に演算された冷凍機の使用エネルギーと冷却塔のファンの使用エネルギー量との合計値の各々を合計使用エネルギー量として記憶する合計使用エネルギー量記憶手段と、冷却塔出口温度設定値の候補値毎に記憶された合計使用エネルギー量の中からその合計使用エネルギー量が最小となる冷却塔出口温度設定値の候補値を最適値として決定する冷却塔出口温度最適値決定手段とを備え、アプローチとファン風量との反比例の関係は、冷却塔出口温度を一定とした条件で定めた反比例の関係よりもアプローチを小さくする方向（アプローチ方向）にシフトさせた関係とされていることを特徴とする。
【００１９】
この発明では、冷却塔出口温度設定値の候補値を上限値と下限値との間で変えながら、その候補値と冷凍機の現在の負荷熱量とに基づいて、冷却塔出口温度設定値の候補値毎の冷凍機の使用エネルギー量を演算する。また、冷却塔のアプローチ（冷却塔出口温度と外気湿球温度との差）とファン風量との関係として定められた反比例の関係を利用して、冷却塔出口温度設定値の候補値を上限温値と下限値との間で変えながら、その候補値と現在の外気湿球温度と現在の冷却塔のファン風量と現在の冷却塔出口温度とに基づいて、冷却塔出口温度設定値の候補値毎の冷却塔のファン風量を算出し、冷却塔出口温度設定値の候補値毎に算出された冷却塔のファン風量から冷却塔出口温度設定値の候補値毎の冷却塔のファンの使用エネルギー量を演算する。そして、この演算した冷凍機の使用エネルギー量と冷却塔のファンの使用エネルギー量とを冷却塔出口温度設定値の候補値毎に合計し、この冷却塔出口温度設定値の候補値毎の冷凍機の使用エネルギー量と冷却塔のファンの使用エネルギー量との合計値の各々を合計使用エネルギー量として記憶する。そして、冷却塔出口温度設定値の候補値毎に記憶された合計使用エネルギー量の中からその合計使用エネルギー量が最小となる冷却塔出口温度設定値の候補値を冷却塔出口温度設定値の最適値として決定する。
【００２０】
また、本発明において、アプローチとファン風量との反比例の関係は、冷却塔出口温度を一定とした条件で定めた反比例の関係よりもアプローチ方向にシフトされており、より実際に近い傾向がある。
【００２１】
また、本発明において、合計使用エネルギー量を記憶させる際、冷却塔出口温度設定値の候補値毎に演算された冷凍機の使用エネルギー量および冷却塔のファンの使用エネルギー量を所定のエネルギー量に換算し、その合計値を合計使用エネルギー量として記憶させるようにしてもよい。例えば、１ｍ3当たりのガス料金や１ｋＷｈ当たりの電力料金などをエネルギー換算係数として用い、合計使用エネルギー量を金額に換算して記憶させるようにする。本発明では、所定のエネルギー量の一形態として金額もその定義に含まれるものであり、金額のほかにも、ＣＯ２排出量、１次エネルギーなども考えられる。
【発明の効果】
【００２２】
本発明によれば、冷却塔のアプローチとファン風量との関係として定められた反比例の関係（冷却塔出口温度を一定とした条件で定めた反比例の関係よりもアプローチ方向にシフトさせた関係）を利用して、冷却塔出口温度設定値の候補値を上限温値と下限値との間で変えながら、その候補値と現在の外気湿球温度と現在の冷却塔のファン風量と現在の冷却塔出口温度とに基づいて、冷却塔出口温度設定値の候補値毎の冷却塔のファン風量を算出し、冷却塔出口温度設定値の候補値毎に算出された冷却塔のファン風量から冷却塔出口温度設定値の候補値毎の冷却塔のファンの使用エネルギー量を演算するようにしたので、冷却塔出口温度設定値の候補値毎の冷却塔のファンの使用エネルギー量の演算に際して冷却塔の性能変化がより実際に近い形で反映されるものとなり、冷却塔の性能変化に関わらず、常に最適な冷却塔出口温度設定値を決定することが可能となる。
【図面の簡単な説明】
【００２３】
【図１】本発明に係る冷却塔ファン制御装置が付設された空調制御システムの一実施の形態の要部を示す図である。
【図２】この空調制御システムにおける吸収式冷凍機が有する冷却塔出口温度設定値の最適化機能を説明するためのフローチャートである。
【図３】この空調制御システムにおける冷却塔ファン制御装置での冷凍機の使用エネルギー量Ｅａの演算処理過程を示す図である。
【図４】この空調制御システムにおける冷却塔ファン制御装置での冷却塔ファンの使用エネルギー量Ｅｂの演算処理過程を示す図である。
【図５】冷却塔のアプローチ（冷却塔出口温度と外気湿球温度との差）とファン風量との関係（反比例の関係）を示す図である。
【図６】アプローチとファン風量との反比例の関係をアプローチ方向にシフトさせた例を示す図である。
【図７】この空調制御システムにおける冷却塔ファン制御装置での冷却水ポンプの使用エネルギー量Ｅｃの演算処理過程を示す図である。
【図８】この空調制御システムにおける冷却塔ファン制御装置の要部の機能ブロック図である。
【図９】冷却塔能力が設計条件であるときのアプローチとファン風量の関係および冷却塔能力が劣化したときのアプローチとファン風量の関係を示す図である。
【図１０】従来の冷却塔ファン制御装置が付設された空調制御システムの要部を示す図である。
【発明を実施するための形態】
【００２４】
以下、本発明を図面に基づいて詳細に説明する。
図１はこの発明に係る冷却塔ファン制御装置が付設された空調制御システムの一実施の形態の要部を示す図である。同図において、図１０と同一符号は図１０を参照して説明した構成要素と同一或いは同等構成要素を示し、その説明は省略する。
【００２５】
なお、この空調制御システムにおいて、冷却塔ファン２−１の運転を制御する冷却塔ファン制御装置は、図１０に示した従来の冷却塔ファン制御装置８と区別するために符号１０で示している。
【００２６】
この実施の形態において、往水管路６には吸収式冷凍機１から負荷機器へ送られる冷水の温度を冷水出口温度ＴＣＷSとして検出する温度センサ（冷水出口温度センサ）１１が設けられ、還水管路７には負荷機器から吸収式冷凍機１へ戻される冷水の温度を冷水入口温度ＴＣＷRとして検出する温度センサ（冷水入口温度センサ）１２が設けられ、冷却水戻管４には吸収式冷凍機１から冷却塔２へ戻される冷却水の温度を冷却塔入口温度ＴＣRとして検出する温度センサ（冷却塔入口温度センサ）１３が設けられ、往水管路６には吸収式冷凍機１から負荷機器へ送られる冷水の流量ＱCWを検出する流量計１４が設けられている。また、冷却塔２の近辺には、外気湿球温度ＴＨｏｕｔを検出する外気湿球温度センサ１５が設けられている。
【００２７】
なお、この実施の形態において、冷却塔出口温度センサ９は冷却塔２からの吸収式冷凍機１への冷却水の温度を冷却塔出口温度ＴＣSとして検出し、冷却塔ファン制御装置１０での冷却塔ファン２−１の運転の制御に際し、冷却塔出口温度センサ９が検出する冷却塔出口温度ＴＣSが冷却塔出口温度ＴＣｐｖとして用いられるものとする。また、この実施の形態では、外気湿球温度センサ１５を用いて外気湿球温度ＴＨｏｕｔを検出するようにしているが、外気湿度と外気露点温度とから空気線図を用いて外気湿球温度ＴＨｏｕｔを求めるようにするなどしてもよい。
【００２８】
また、この実施の形態において、冷却塔ファン制御装置１０は、プロセッサやメモリからなるハードウェアと、これらのハードウェアと協働して制御装置としての各種機能を実現させるプログラムとによって実現され、本実施の形態特有の機能として冷却塔出口温度設定値の最適化機能を有している。
【００２９】
また、この実施の形態において、冷却塔ファン制御装置１０のメモリには、冷却塔出口温度設定値ＴＣｓｐに対してその上限値および下限値が定められ、上限値がＴＣＨLIMとして、下限値がＴＣＬLIMとして記憶されている。
【００３０】
また、冷却塔ファン制御装置１０のメモリには、後述する冷凍機の使用エネルギー量の演算に際して用いられるテーブルＴＢ１と、冷却塔ファンの使用エネルギー量の演算に際して用いられるテーブルＴＢ２と、冷却水ポンプの使用エネルギー量の演算に際して用いられるテーブルＴＢ３が記憶されている。
【００３１】
また、冷却塔ファン制御装置１０のメモリには、１ｍ3当たりのガス料金など、ガス量を所定のエネルギー量に換算するエネルギー換算係数Ｋ１が記憶されている。また、１ｋＷｈ当たりの電力料金など、電力を所定のエネルギー量に換算するエネルギー換算係数Ｋ２が記憶されている。このエネルギー換算係数Ｋ１，Ｋ２は、固定値とされる場合もあるし、季節，時間，曜日，祝日などによって変わる場合もある。
【００３２】
〔吸収式冷凍機の運転中の冷却塔出口温度設定値の最適化〕
以下、図２に示したフローチャートに従って、冷却塔ファン制御装置１０が有する冷却塔出口温度設定値の最適化機能について説明する。冷却塔ファン制御装置１０は、吸収式冷凍機１の運転中、図２に示したフローチャートに従う処理動作を定周期で実行する。
【００３３】
先ず、冷却塔ファン制御装置１０は、冷却塔出口温度設定値ＴＣｓｐに対して定められている上限値ＴＣＨLIMおよび下限値ＴＣＬLIMをメモリから読み出す（ステップＳ１０１）。そして、この読み出した上限値ＴＣＨLIMおよび下限値ＴＣＬLIMの内、下限値ＴＣＬLIMを冷却塔出口温度設定値の候補値ＴＣｓｐ’とする（ステップＳ１０２）。
【００３４】
そして、この冷却塔出口温度設定値の候補値ＴＣｓｐ’を演算条件として、冷凍機の使用エネルギー量Ｅａ（ガス値）と、冷却塔ファンの使用エネルギー量Ｅｂ（電力値）と、冷却水ポンプの使用エネルギー量Ｅｃ（電力値）を演算する（ステップＳ１０３，Ｓ１０４，Ｓ１０５）。
【００３５】
〔冷凍機の使用エネルギー量Ｅａ（ガス値）の演算〕
図３にステップＳ１０３での冷凍機の使用エネルギー量Ｅａの演算処理過程を示す。冷却塔ファン制御装置１０は、流量計１４からの冷水の流量ＱCWと冷水出口温度センサ１１からの冷水出口温度ＴＣＷSと冷水入口温度センサ１２からの冷水入口温度ＴＣＷRを計測値とし、吸収式冷凍機１の現在の冷水熱量（負荷熱量）を演算する（ステップＳ１０３Ａ）。
【００３６】
そして、冷却塔出口温度設定値の候補値ＴＣｓｐ’を演算条件とし、この冷却塔出口温度設定値の候補値ＴＣｓｐ’と、ステップＳ１０３Ａで演算した吸収式冷凍機１の現在の冷水熱量とから、冷却塔出口温度設定値の候補値ＴＣｓｐ’に対する吸収式冷凍機１の使用エネルギー量を演算する（ステップＳ１０３Ｂ）。この吸収式冷凍機１の使用エネルギー量の演算において前述したテーブルＴＢ１を使用する。
【００３７】
テーブルＴＢ１には、吸収式冷凍機１について、冷却塔出口温度設定値と冷水熱量と使用エネルギー量（ガス値）との関係が予め定められている。冷却塔ファン制御装置１０は、このテーブルＴＢ１から冷却塔出口温度設定値の候補値ＴＣｓｐ’と現在の冷水熱量とに対応する使用エネルギー量（ガス値）を求め、これを吸収式冷凍機１の使用エネルギー量Ｅａ（ガス値）とする。
【００３８】
〔冷却塔ファンの使用エネルギー量Ｅｂ（電力値）の演算〕
図４にステップＳ１０４での冷却塔ファンの使用エネルギー量Ｅｂの演算処理過程を示す。冷却塔ファン制御装置１０は、冷却塔ファン２−１へのファンインバータ出力ＩＮＶを計測値とし、このファンインバータ出力ＩＮＶを現在の冷却塔ファン２−１のファン風量に換算する（ステップＳ１０４Ａ）。この場合、ファンインバータ出力ＩＮＶで示されるインバータの周波数をインバータ周波数とし、ファン風量（現在値）＝インバータ周波数／商用電源の周波数として、冷却塔ファン２−１の現在のファン風量を求める。
【００３９】
なお、冷却塔が複数台設けられており、複数台の冷却塔ファンの運転台数を制御するような場合には、ファン風量（現在値）＝ファン運転台数／ファン設置台数として、冷却塔ファンの現在のファン風量を求める。また、インバータ制御と運転台数制御とを組み合わせるような場合には、インバータ周波数とファン運転台数とを組み合わせて、冷却塔ファンの現在のファン風量を求める。
【００４０】
そして、冷却塔ファン制御装置１０は、冷却塔出口温度設定値の候補値ＴＣｓｐ’を演算条件とし、この冷却塔出口温度設定値の候補値ＴＣｓｐ’と、外気湿球温度センサ１５からの現在の外気湿球温度ＴＨｏｕｔと、ステップＳ１０４Ａで換算した現在の冷却塔ファン２−１のファン風量と、冷却塔出口温度センサ９からの現在の冷却塔出口温度ＴＣｓとから、冷却塔出口温度設定値の候補値ＴＣｓｐ’に対する冷却塔ファン２−１のファン風量を演算する（ステップＳ１０４Ｂ）。この冷却塔ファン２−１のファン風量の演算において前述したテーブルＴＢ２を使用する。
【００４１】
テーブルＴＢ２には、冷却塔２のアプローチ（冷却塔出口温度と外気湿球温度との差）とファン風量との関係として、図５に示すような反比例の関係が定められている。このアプローチとファン風量との反比例の関係は、実際の設備から検証して得たものであり、冷却塔出口温度を一定とした条件（同負荷条件）で定めたものである。なお、アプローチとファン風量との関係は、アプローチから一定温度を引いた値とファン風量とを反比例とした方が、実際に近い傾向がある。以下、アプローチから一定温度を引いた値とファン風量とを反比例とすることを「アプローチ方向にシフトする」という。この場合、アプローチから一定温度を引くことによりアプローチが小さくなり、このアプローチを小さくする方向がアプローチ方向となる。
【００４２】
図６にアプローチとファン風量との反比例の関係をアプローチ方向にシフトさせた例を示す。同図に示す特性Ｉは、冷却塔出口温度を一定とした条件で定めた反比例の関係であり、同図に示す特性IIは、冷却塔出口温度を一定とした条件で定めた反比例の関係をアプローチ方向にシフトさせたものである。特性Ｉはファン風量＝８００／アプローチで表される反比例に近似した関係にあり、特性IIはファン風量＝１０００／（アプローチ＋４）で表される反比例に近似した関係にあり、特性IIは特性Ｉに対して反比例の定数を８００から１０００に変えたうえ、アプローチ方向へ＋４シフトさせた形とされている。
【００４３】
冷却塔ファン制御装置１０は、このアプローチとファン風量との反比例の関係を定めたテーブルＴＢ２を利用して、冷却塔出口温度設定値の候補値ＴＣｓｐ’と、現在の外気湿球温度ＴＨｏｕｔと、現在の冷却塔ファン２−１のファン風量と、現在の冷却塔出口温度ＴＣｓとから、冷却塔出口温度設定値の候補値ＴＣｓｐ’に対する冷却塔ファン２−１のファン風量を求める（ステップＳ１０４Ｂ）。
【００４４】
この場合、アプローチとファン風量との反比例の関係から、ファン風量（冷却塔出口温度設定値の候補値ＴＣｓｐ’）＝ファン風量（現在値）×（アプローチ（現在値）／アプローチ（冷却塔出口温度設定値の候補値ＴＣｓｐ’））として、冷却塔出口温度設定値の候補値ＴＣｓｐ’に対する冷却塔ファン２−１のファン風量を求める。なお、この式において、アプローチ（現在値）は現在の冷却塔出口温度ＴＣｓと現在の外気湿球温度ＴＨｏｕｔとの差分であり、アプローチ（冷却塔出口温度設定値の候補値ＴＣｓｐ’）は冷却塔出口温度設定値の候補値ＴＣｓｐ’と現在の外気湿球温度ＴＨｏｕｔとの差分である。
【００４５】
そして、冷却塔ファン制御装置１０は、この求めた冷却塔出口温度設定値の候補値ＴＣｓｐ’に対する冷却塔ファン２−１のファン風量を冷却塔ファン２−１の電力に換算し（ステップＳ１０４Ｃ）、これを冷却塔ファン２−１の使用エネルギー量Ｅｂ（電力値）とする。
【００４６】
この例において、冷却塔ファン２−１はインバータ制御であるので、冷却塔ファン２−１の電力はファン風量の３乗に比例すると考え、冷却塔ファンの電力＝冷却塔ファンの定格電力×（ファン風量）3として求める。なお、運転台数制御の場合、ファンが停止しながら温度制御するので、冷却塔ファンの電力・ファン風量を比例と考え、冷却塔ファンの電力＝冷却塔ファンの定格電力×ファン電力として求める。
【００４７】
〔冷却水ポンプの使用エネルギー量Ｅｃ（電力値）〕
図７にステップＳ１０５での冷却水ポンプの使用エネルギー量Ｅｃの演算処理過程を示す。なお、この図７に示した演算処理過程は、冷却水ポンプ５の回転数の調整によって冷却水を変流量制御する場合のものであって、冷却水ポンプ５の回転数を固定とする場合にはこのような処理は行わなくてもよく、予め定められた固定値を冷却水ポンプの使用エネルギー量Ｅｃ（電力値）としたり、冷却水ポンプの使用エネルギー量Ｅｃ（電力値）を０として、後述するステップＳ１０８での使用エネルギー量の合計から除外したりする。この実施の形態では、冷却水ポンプ５の回転数を固定とし、冷却水ポンプの使用エネルギー量Ｅｃ（電力値）は予め定められた固定値とする。
【００４８】
冷却塔ファン制御装置１０は、冷却水ポンプ５の回転数の調整によって冷却水を変流量制御する場合、流量計１４からの冷水の流量ＱCWと冷水出口温度センサ１１からの冷水出口温度ＴＣＷSと冷水入口温度センサ１２からの冷水入口温度ＴＣＷRを計測値とし、吸収式冷凍機１の現在の冷水熱量（負荷熱量）を演算する（ステップＳ１０５Ａ）。また、冷却塔出口温度センサ９からの冷却塔出口温度ＴＣSと冷却塔入口温度センサ１３からの冷却塔入口温度ＴＣRを計測値とし、現在の冷却水温度差を演算する（ステップＳ１０５Ｂ）。
【００４９】
そして、冷却塔出口温度設定値の候補値ＴＣｓｐ’を演算条件とし、この冷却塔出口温度設定値の候補値ＴＣｓｐ’と、ステップＳ１０５Ａで演算した吸収式冷凍機１の現在の冷水熱量と、ステップＳ１０５Ｂで演算した現在の冷却水温度差とから、冷却塔出口温度設定値の候補値ＴＣｓｐ’に対する冷却水ポンプ５の使用エネルギー量を演算する（ステップＳ１０５Ｃ）。この冷却水ポンプ５の使用エネルギー量の演算において前述したテーブルＴＢ３を使用する。
【００５０】
テーブルＴＢ３には、冷却水ポンプ５について、冷却塔出口温度設定値と冷水熱量と冷却水温度差と使用エネルギー量（電力値）との関係が予め定められている。冷却塔ファン制御装置１０は、このテーブルＴＢ３から冷却塔出口温度設定値の候補値ＴＣｓｐ’と現在の冷水熱量と現在の冷却水温度差とに対応する使用エネルギー量（電力値）を求め、これを冷却水ポンプ５の使用エネルギー量Ｅｃ（電力値）とする。
【００５１】
このようにして、冷凍機の使用エネルギー量Ｅａ（ガス値）と冷却塔ファンの使用エネルギー量Ｅｂ（電力値）と冷却水ポンプの使用エネルギー量Ｅｃ（電力値）を演算した後、冷却塔ファン制御装置１０は、メモリに記憶されているエネルギー換算係数Ｋ１，Ｋ２を読み出し（ステップＳ１０６）、冷凍機の使用エネルギー量Ｅａ（ガス値）にエネルギー換算係数Ｋ１を乗じて換算値Ｅａ’を求め、冷却塔ファンの使用エネルギー量Ｅｂ（電力値）にエネルギー換算係数Ｋ２を乗じて換算値Ｅｂ’を求め、冷却水ポンプの使用エネルギー量Ｅｃ（電力値）にエネルギー換算係数Ｋ２を乗じて換算値Ｅｃ’を求める（ステップＳ１０７）。
【００５２】
そして、冷却塔ファン制御装置１０は、この冷凍機の使用エネルギー量の換算値Ｅａ’と冷却塔ファンの使用エネルギー量の換算値Ｅｂ’と冷却水ポンプの使用エネルギー量の換算値Ｅｃ’とを足し合わせて、合計使用エネルギー量Ｅ（Ｅ＝Ｅａ’＋Ｅｂ’＋Ｅｃ’）を得る（ステップＳ１０８）。そして、この求めた合計使用エネルギー量Ｅを冷却塔出口温度設定値の候補値ＴＣｓｐ’に対応づけてメモリに記憶する（ステップＳ１０９）。
【００５３】
冷却塔ファン制御装置１０は、冷却塔出口温度設定値の候補値ＴＣｓｐ’が上限値ＴＣＨLIMを超えるまで（ステップＳ１１０のＹＥＳ）、冷却塔出口温度設定値の候補値ＴＣｓｐ’に所定の温度幅ΔＴを加えて次の冷却塔出口温度設定値の候補値ＴＣｓｐ’（ＴＣｓｐ’＝ＴＣｓｐ’＋ΔＴ）として（ステップＳ１１１）、ステップＳ１０３〜Ｓ１１０の処理動作を繰り返す。これにより、冷却塔出口温度設定値の候補値ＴＣｓｐ’毎に、合計使用エネルギー量Ｅがメモリに記憶されて行く。
【００５４】
そして、冷却塔ファン制御装置１０は、冷却塔出口温度設定値の候補値ＴＣｓｐ’が上限値ＴＣＨLIMを超えると（ステップＳ１１０のＹＥＳ）、メモリに記憶されている冷却塔出口温度設定値の候補値ＴＣｓｐ’毎の合計使用エネルギー量Ｅを検索し、その合計使用エネルギー量Ｅが最小となる冷却塔出口温度設定値の候補値ＴＣｓｐ’を特定し、この特定した候補値ＴＣｓｐ’を冷却塔出口温度設定値の最適値ＴＣｓｐとして決定する（ステップＳ１１２）。
【００５５】
ここで、冷却塔出口温度設定値の候補値ＴＣｓｐ’毎の合計使用エネルギー量Ｅのうち、冷却塔ファンの使用エネルギー量は、冷却塔２のアプローチとファン風量との関係を利用して求められているので、冷却塔２の性能変化が反映されたものとなる。なぜなら、冷却塔の能力が低下したときは、ファン風量が固定であれば自然と冷却塔出口温度が上がる（つまりアプローチが広がる）ためである（図９参照）。これにより、冷却塔２の性能変化に関わらず、冷却塔ファンの使用エネルギー量が正確なものとして得られ、常に最適な冷却塔出口温度設定値ＴＣｓｐが決定されるようになる。
【００５６】
以上のようにして、この実施の形態では、冷却塔ファン２−１の電力消費量と吸収式冷凍機１の運転効率の向上との両面で常に最適となる冷却塔出口温度設定値ＴＣｓｐが決定されるものとなり、吸収式冷凍機１を高効率で運転するとともに、冷却塔ファン２−１でのエネルギーの使用量をできるだけ少なくし、吸収式冷凍機１の運転効率の向上と省エネルギーとを両立させることができるようになる。
【００５７】
なお、冷却水ポンプ５の回転数の調整によって冷却水を変流量制御する場合には、冷却ポンプ５の消費電力量も含めて最適となる冷却塔出口温度設定値ＴＣｓｐが決定されるものとなり、吸収式冷凍機１を高効率で運転するとともに、冷却塔ファン２−１および冷却ポンプ５でのエネルギーの使用量をできるだけ少なくし、吸収式冷凍機１の運転効率の向上と省エネルギーとを両立させることができるようになる。
【００５８】
この実施の形態では、冷凍機の使用エネルギー量の演算に際してテーブルＴＢ１を用い、冷却塔ファンの使用エネルギー量の演算に際してテーブルＴＢ２を用い、冷却水ポンプの使用エネルギー量の演算に際してテーブルＴＢ３を用いたが、必ずしもこのようなテーブルを用いなくてもよく、計算式などを用いて使用エネルギー量を得るようにしてもよい。
【００５９】
また、この実施の形態では、エネルギー換算係数を用いて使用エネルギー量の換算値を求めるようにしたが、必ずしもエネルギー換算係数を用いなくてもよい。また、この実施の形態では、冷凍機として吸収式冷凍機を用いるものとしたが、吸収式冷凍機に限られるものではなく、ターボ冷凍機などの電気を使用する冷凍機を用いてもよい。ターボ冷凍機などの電気を使用する冷凍機を用いた場合、冷凍機の使用エネルギー量は電力値として得られるので、エネルギー換算係数を使用せずに、冷凍機の使用エネルギー量Ｅａ（電力値）と冷却塔ファンの使用エネルギー量Ｅｂ（電力値）と冷却水ポンプの使用エネルギー量Ｅｃ（電力値）とを足し合わせ、これにより得られる合計値ΣＥ（ΣＥ＝Ｅａ＋Ｅｂ＋Ｅｃ）を合計使用エネルギー量Ｅとして使用することが可能である。勿論、この場合も、合計値ΣＥにエネルギー換算係数Ｋを乗じ、金額などに換算するようにしてもよい。
【００６０】
図８にこの実施の形態における冷却塔ファン制御装置１０の要部の機能ブロック図を示す。冷却塔ファン制御装置１０は、吸収式冷凍機１の使用エネルギー量Ｅａを演算する冷凍機使用エネルギー量演算部１０Ａ１と、冷却塔ファン２−１の使用エネルギー量Ｅｂを演算する冷却塔ファン使用エネルギー量演算部１０Ａ２と、冷却水ポンプ５の使用エネルギー量Ｅｃを演算する冷却水ポンプ使用エネルギー量演算部１０Ａ３と、冷凍機使用エネルギー量演算部１０Ａ１で演算された吸収式冷凍機１の使用エネルギー量Ｅａと冷却塔ファン使用エネルギー量演算部１０Ａ２で演算された冷却塔ファン２−１の使用エネルギー量Ｅｂと冷却水ポンプ使用エネルギー量演算部１０Ａ３で演算された冷却水ポンプ５の使用エネルギー量Ｅｃを所定のエネルギー量に換算するエネルギー換算部１０Ａ４とを備えている。
【００６１】
また、エネルギー換算部１０Ａ４で換算された吸収式冷凍機１の使用エネルギー量Ｅａ’と冷却塔ファン２−１の使用エネルギー量Ｅｂ’と冷却水ポンプ５の使用エネルギー量Ｅｃ’との合計値を冷却塔出口温度設定値の候補値ＴＣｓｐ’毎に求める使用エネルギー合計値算出部１０Ａ５と、この使用エネルギー合計値算出部１０Ａ５によって求められた冷却塔出口温度設定値の候補値ＴＣｓｐ’毎の使用エネルギー量の合計値を合計使用エネルギー量Ｅとして記憶する合計使用エネルギー量記憶部１０Ａ６と、合計使用エネルギー量記憶部１０Ａ６に記憶されている冷却塔出口温度設定値の候補値ＴＣｓｐ’毎の合計使用エネルギー量Ｅを検索し、その合計使用エネルギー量Ｅが最小となる冷却塔出口温度設定値の候補値ＴＣｓｐ’を特定し、この特定した候補値ＴＣｓｐ’を冷却塔出口温度設定値の最適値ＴＣｓｐとして決定する冷却塔出口温度設定値最適値決定部１０Ａ７とを備えている。
【００６２】
この機能ブロック図において、冷凍機使用エネルギー量演算部１０Ａ１は、図３に示した演算処理過程によって、吸収式冷凍機１の使用エネルギー量Ｅａを演算する。冷却塔ファン使用エネルギー量演算部１０Ａ２は、図４に示した演算処理過程によって、冷却塔ファン２−１の使用エネルギー量Ｅｂを演算する。冷却水ポンプ使用エネルギー量演算部１０Ａ３は、冷却水ポンプ５の回転数の調整によって冷却水を変流量制御する場合、図７に示した演算処理過程によって、冷却水ポンプ５の使用エネルギー量Ｅｃを演算する。冷却水を変流量制御しない場合には、予め定められた固定値を冷却水ポンプ５の使用エネルギー量Ｅｃとしたり、冷却水ポンプ５の使用エネルギー量Ｅｃを０としたりする。
【産業上の利用可能性】
【００６３】
本発明の冷却塔ファン制御装置および方法は、冷凍機に冷却水を供給する冷却塔のファンの運転を制御する装置および方法として、ビルなどの各種施設における空調制御システムなどに利用することが可能である。
【符号の説明】
【００６４】
１…吸収式冷凍機、２…冷却塔、２−１…冷却塔ファン、３…冷却水往管、４…冷却水戻管、５…冷却水ポンプ、６…往水管路、７…還水管路、９…冷却塔出口温度センサ、１０…冷却塔ファン制御装置、１０Ａ１…冷凍機使用エネルギー量演算部、１０Ａ２…冷却塔ファン使用エネルギー量演算部、１０Ａ３…冷却水ポンプ使用エネルギー量演算部、１０Ａ４…エネルギー換算部、１０Ａ５…使用エネルギー合計値算出部、１０Ａ６……合計使用エネルギー量記憶部、１０Ａ７…冷却塔出口温度設定値最適値決定部、１１…冷水出口温度センサ、１２…冷水入口温度センサ、１３…冷却塔入口温度センサ、１４…流量計、１５…外気湿球温度センサ。
【図１】
0005890697.tif 000002
【図２】
0005890697.tif 000003
【図３】
0005890697.tif 000004
【図４】
0005890697.tif 000005
【図５】
0005890697.tif 000006
【図６】
0005890697.tif 000007
【図７】
0005890697.tif 000008
【図８】
0005890697.tif 000009
【図９】
0005890697.tif 000010
【図１０】
0005890697.tif 000011